(57)【要約】【課題】平積み展示が一般的な扁平商品の包装において、起立展示可能な包装構造を提供する。【解決手段】扁平商品の筒状台紙１の背面、或いは包装箱の背面に、コの字形状の切り離し用ミシン目３１とコの字の開口側を縦折れ線３２とした立て支持部３を左右対称に備え、前記立て支持部の縦折れ線に食い込む形状のミシン目４１と、前記ミシン目４１に連続する横折れ線４３と、前記横折れ線で背面外方に突出折曲可能とする切り離し用ミシン目４２で形成した横保持部４を備えると共に、縦折れ線側への食い込み範囲を、縦横比を略一致させてなる。【選択図】  図１
0003134345.tif 000002
【実用新案登録請求の範囲】
【請求項１】
傾斜起立させた際に底辺部分が安定に設置する形状に包装する筒状の台紙、或いは包装箱において、当該台紙又は包装箱の背面に、前記底辺該当箇所に近接して、ミシン目線又は切り込み線によるコの字形状の切離線とし、コの字の開口側を縦折れ線とした立て支持部を備え、前記立て支持部の縦折れ線に食い込む形状の切離線と、前記切離線に連続する横折れ線と、前記横折れ線で背面外方に突出折曲可能とする切離線で囲繞して形成した横保持部を備えると共に、縦折れ線側への食い込み範囲を、縦横比を略一致させてなることを特徴とする包装構造。
【請求項２】
立て支持部を左右対称に、且つ縦折れ線側が内側になるように配置し、左右の立て支持部の間に左右端縁が左右の縦折れ線側に食い込む１個の横保持部を備えてなる請求項１記載の包装構造。
【考案の詳細な説明】
【技術分野】
【０００１】
本考案は、例えば魚焼き器、皿、バット、トレー等の筒状の台紙包装や、箱包装等に採用される包装構造に関するものである。
【背景技術】
【０００２】
魚焼き器は周知の通り、皿状鉄板内に網体を収納又は装着し、鉄板及び網体若しくは一方に把手を付設しているもので、全体が扁平矩形形状である。
【０００３】
前記の魚焼き器の包装は、網体の表面に所定の印刷表示を施した台紙を配置し、全体を透明フィルムで包んだり、又は透明フィルムで包装した外側に、筒状に形成した台紙を装着する包装手段が採用されている。
【０００４】
また皿、バット、トレー等の扁平商品も魚焼き器の本体部分の包装と同様に筒状の台紙による包装がなされており（特許文献１参照）、また箱内に収納する箱包装も広く採用されている。
【０００５】
【特許文献１】特開平７−２２３６７１号公報。
【考案の開示】
【考案が解決しようとする課題】
【０００６】
台紙包装が採用されている魚焼き器の商品展示は、一般に店頭に配置されている棚に平積み展示したり、前方に突出したハンガーに把手部の透孔を掛け吊下げ展示を行なっている。
【０００７】
棚に平積みした場合には、台紙の印刷表示が確認しやすいように棚の下方段を使用する必要がある。然し下方段に他の商品を展示している場合には、上方段に平積み展示すると、商品台紙が非常に見難くなってしまい、商品アピールの点で問題がある。扁平な箱包装商品も同様の問題がある。
【０００８】
そこで本考案は、上方段の展示でも商品台紙又は包装箱の表面が見易く、商品アピールが適確になされる新規な包装構造を提案したものである。
【課題を解決するための手段】
【０００９】
本考案に係る包装構造は、傾斜起立させた際に底辺部分が安定に設置する形状に包装する筒状の台紙、或いは包装箱において、当該台紙又は包装箱の背面に、前記底辺該当箇所に近接して、ミシン目線又は切り込み線によるコの字形状の切離線とし、コの字の開口側を縦折れ線とした立て支持部を備え、前記立て支持部の縦折れ線に食い込む形状の切離線と、前記切離線に連続する横折れ線と、前記横折れ線で背面外方に突出折曲可能とする切離線で囲繞して形成した横保持部を備えると共に、縦折れ線側への食い込み範囲を、縦横比を略一致させてなることを特徴とするものである。
【００１０】
而して平積み時にはそのままの包装状態で行い、特に立て支持部及び横保持部を切離線で切り離し、折れ線によって背面外方に折曲突出すると、立て支持部における横保持部の食い込み箇所が凹部となり、当該凹部に横保持部が入り込み、立て支持部の左右への煽り移動が阻止され、立て支持部が安定して折曲突出するので、底辺該当箇所を棚板面上に当接して背面側に傾斜させると、立て支持部が支えとなって、包装表面を前面として起立展示することができる。
【考案の効果】
【００１１】
本考案の構成は上記のとおりで、台紙による筒状包装や箱包装において、通常の平積み展示の他に、起立展示も可能となったもので、商品アピールが充分になされる展示を行うことができたものである。
【考案を実施するための最良の形態】
【００１２】
次に本考案の実施形態について説明する。実施形態は魚焼き器Ａの包装構造を示したもので、包装は、筒状の台紙１で魚焼き器Ａの本体ａを包み、筒状台紙１の所定箇所に把手部ｂの突出口２を設けているものである。
【００１３】
本考案は、この筒状台紙１の背面に、切離線と折れ線で所定の範囲を囲繞して、立て支持部３と横保持部４を形成可能に設けたものである。
【００１４】
立て支持部３は、後述するとおり魚焼き器Ａの起立展示に際して、安定起立するように左右適宜離れた位置で左右対称に配置されもので、コの字形状の切離線（ミシン目）３１とコの字の開口側の縦折れ線３２で囲繞され、縦折れ線３２が対面する形状としたものである。但し縦折れ線３２は、下記の横保持部４の食込切離線（ミシン目）４１で上下分離する。
【００１５】
横保持部４は、左右の立て支持部３の間に配置されるもので、前記立て支持部３の縦折れ線３２の上下中間位置で内側に、縦横比が略一致する範囲で食い込む食込切離線４１と、食込切離線４１の上方を連結する分離用切離線（ミシン目）４２と、食込切離線４１の下方を連結する横折れ線４３で囲繞されてなる。
【００１６】
而して包装状態においては、各ミシン目（切離線）は切り離されること無く、通常の包装状態のままで、平積みされたり、吊り展示されるものであり、特に魚焼き器Ａを起立展示する際に、各ミシン目（切離線）３１，４１，４２で切り離し、折れ線３２，４３によって立て支持部３及び横保持部４を背面外方に折曲突出すると、立て支持部３における横保持部４の食い込み箇所が凹部３３となり、当該凹部３３に横保持部４の突出縁（ミシン目４２の切り離し箇所）４４が入り込み、嵌合状態となり、立て支持部３が左右方向へ煽り移動しようとしても、前記突出縁４４に衝突して阻止され、立て支持部３は、安定して折曲突出状態を保持することになる。
【００１７】
そこで魚焼き器Ａを図２に示すように、包装状態で安定する底辺を棚面上に当接させて起立させると、魚焼き器Ａは、立て支持部３で支持されて起立展示されることになる。
【００１８】
尚前記の実施形態は、横保持部４を１個で構成したが、左右の立て支持部３の各々に横保持部を付属させる構成を採用しても良い。
【００１９】
また魚焼き器Ａの包装のように筒状の台紙は、図示例のように把手部ｂを上方とした場合に、本体ａに上下方向に巻き付けるものの他に、左右方向に巻き付けるものでも良いし、図４に掲示するように、扁平商品Ｂを収納する包装箱１ａにおいても、同様に立て支持部３及び横保持部４を備えさせることもできる。
【００２０】
また切離線にミシン目を採用せずに、切り込み線としても良く、この場合には、立て支持部及び横保持部は、折れ線位置が非折曲状態を保つことで、平積みに対応状態とするものである。
【図面の簡単な説明】
【００２１】
【図１】本考案の実施形態の全体斜視図。
【図２】同起立展示状態の説明図。
【図３】同背面図。
【図４】同別例の起立展示状態の説明図。
【符号の説明】
【００２２】
１      台紙
１ａ    包装箱
２      突出口
３      立て支持部
３１    切離線（ミシン目）
３２    縦折れ線
３３    凹部
４      横保持部
４１    食込切離線（ミシン目）
４２    分離用切離線（ミシン目）
４３    横折れ線
４４    突出縁
【図１】
0003134345.tif 000003
【図２】
0003134345.tif 000004
【図３】
0003134345.tif 000005
【図４】
0003134345.tif 000006